(57)【要約】【課題】  リモートメンテナンスシステムにおいて、センタ装置からのデータの読み出し及び書き込み処理において、ユーザ情報が漏洩することを防止することができる通信端末装置を提供する。【解決手段】  ディジタル複合装置２０は、所定の秘密対象データの秘密対象データ管理テーブル７ａを格納するＲＡＭ７を備える。主制御部１は、センタ装置４０から、秘密対象データ管理テーブル７ａに格納された秘密対象データを読み出すことを指示する読み出し指示信号を受信し（図５のステップＳ１でＹＥＳ）、上記受信された読み出し指示信号に応答して、ユーザに対して操作部５を用いてパスワードを入力させるように報知し、上記入力されたパスワードを鍵として用いて上記データを暗号化した（ステップＳ４−Ｓ５）後、上記暗号化されたデータを送信する（ステップＳ６）ように制御する。【選択図】  図５
2006311292.tif 000002
【特許請求の範囲】
【請求項１】
所定のデータを格納する記憶手段を備えた通信端末装置において、
パスワードを入力する入力手段と、
上記記憶手段に格納されたデータを読み出すことを指示する読み出し指示信号を受信する受信手段と、
上記受信された読み出し指示信号に応答して、ユーザに対して上記入力手段を用いてパスワードを入力させるように報知し、上記入力されたパスワードを鍵として用いて上記データを暗号化した後、上記暗号化されたデータを送信する送信手段とを備えたことを特徴とする通信端末装置。
【請求項２】
上記送信手段によるデータの送信の後、上記入力手段により入力されたパスワードを廃棄する制御手段をさらに備えたことを特徴とする請求項１記載の通信端末装置。
【請求項３】
上記暗号化すべきデータを指定する指定手段をさらに備えたことを特徴とする請求項１又は２記載の通信端末装置。
【請求項４】
所定のデータを格納する記憶手段を備えた通信端末装置において、
パスワードを入力する入力手段と、
データを上記記憶手段に書き込むことを指示する、上記データを含む書き込み指示信号を受信する受信手段と、
上記受信された書き込み指示信号に応答して、上記受信されたデータが暗号化されているときに、ユーザに対して上記入力手段を用いてパスワードを入力させるように報知し、上記入力されたパスワードを鍵として用いて上記データを復号化した後、上記復号化されたデータを上記記憶手段に書き込む制御手段とを備えたことを特徴とする通信端末装置。
【請求項５】
上記制御手段は、上記データの書き込みの後、上記入力手段により入力されたパスワードを廃棄することを特徴とする請求項４記載の通信端末装置。
【発明の詳細な説明】
【技術分野】
【０００１】
本発明は、例えば、ディジタル複合装置やファクシミリ装置などの通信端末装置に関する。
【背景技術】
【０００２】
従来から、家庭やオフィス、工場等に設置した各種の電子機器や装置の稼働状況を遠隔地にて監視し、異常が発生した場合などにおいて対象装置のメンテナンスを実施するようなリモートメンテナンスシステムが実用化されている。このようなリモートメンテナンスシステムでは、具体的には、電話回線を介してリモート診断を行い、サービスセンタから端末装置に格納されたデータの読み出し処理や、端末装置へのデータの書き込み処理を遠隔制御することが行われている。
【０００３】
例えば、特許文献１において、「サービス会社側にメンテナンスを行なう上で必要以上の情報が伝達されないように、ユーザ側でサービス会社側に送るデータを任意に制限できるようにするために、リモートメンテナンスを行う側（サービス会社側）とリモートメンテナンス対象装置が設置された側（ユーザ側）とを通信回線を介して結び、リモートメンテナンス対象装置側から送られてくるデータに基づいて所定のメンテナンスを実施するようにしたシステムにおいて、リモートメンテナンス対象装置側にリモートメンテナンスを実施する側に送るデータをユーザが任意に選別できるようにするためのデータ選別手段を設けたリモートメンテナンスシステム」が開示されている。
【０００４】
【特許文献１】特開２０００−２０７３１８号公報。
【発明の開示】
【発明が解決しようとする課題】
【０００５】
しかしながら、通信端末装置を旧型機から新型機に交換する場合など、旧型機に格納された全てのユーザ情報を新型機に移行する必要がある。このような場合には特許文献１に記載の技術では対応することができない。
【０００６】
本発明の目的は以上の問題点を解決し、リモートメンテナンスシステムにおいて、センタ装置からのデータの読み出し及び書き込み処理において、ユーザ情報が漏洩することを防止することができる通信端末装置を提供することにある。
【課題を解決するための手段】
【０００７】
第１の発明に係る通信端末装置は、所定のデータを格納する記憶手段を備えた通信端末装置において、
パスワードを入力する入力手段と、
上記記憶手段に格納されたデータを読み出すことを指示する読み出し指示信号を受信する受信手段と、
上記受信された読み出し指示信号に応答して、ユーザに対して上記入力手段を用いてパスワードを入力させるように報知し、上記入力されたパスワードを鍵として用いて上記データを暗号化した後、上記暗号化されたデータを送信する送信手段とを備えたことを特徴とする。
【０００８】
上記通信端末装置において、上記送信手段によるデータの送信の後、上記入力手段により入力されたパスワードを廃棄する制御手段をさらに備えたことを特徴とする。
【０００９】
また、上記通信端末装置において、上記暗号化すべきデータを指定する指定手段をさらに備えたことを特徴とする。
【００１０】
第２の発明に係る通信端末装置は、所定のデータを格納する記憶手段を備えた通信端末装置において、
パスワードを入力する入力手段と、
データを上記記憶手段に書き込むことを指示する、上記データを含む書き込み指示信号を受信する受信手段と、
上記受信された書き込み指示信号に応答して、上記受信されたデータが暗号化されているときに、ユーザに対して上記入力手段を用いてパスワードを入力させるように報知し、上記入力されたパスワードを鍵として用いて上記データを復号化した後、上記復号化されたデータを上記記憶手段に書き込む制御手段とを備えたことを特徴とする。
【００１１】
上記通信端末装置において、上記制御手段は、上記データの書き込みの後、上記入力手段により入力されたパスワードを廃棄することを特徴とする。
【発明の効果】
【００１２】
従って、第１の発明に係る通信端末装置によれば、上記受信された読み出し指示信号に応答して、ユーザに対して上記入力手段を用いてパスワードを入力させるように報知し、上記入力されたパスワードを鍵として用いて上記データを暗号化した後、上記暗号化されたデータを送信するので、センタ装置からのデータの読み出し処理において、ユーザ情報が漏洩することを防止することができる。また、特に、上記送信手段によるデータの送信の後、上記入力手段により入力されたパスワードを廃棄するので、パスワードが漏洩することを防止できる。さらに、ユーザは上記暗号化すべきデータを指定することができるので、ユーザが所望するデータを暗号化してそのデータの漏洩を防止できる。また、パスワードはセンタ装置側に通知されないので、センタ装置側では復号できず、センタ装置側でのデータの漏洩も防止できる。
【００１３】
また、第２の発明に係る通信端末装置によれば、上記受信された書き込み指示信号に応答して、上記受信されたデータが暗号化されているときに、ユーザに対して上記入力手段を用いてパスワードを入力させるように報知し、上記入力されたパスワードを鍵として用いて上記データを復号化した後、上記復号化されたデータを上記記憶手段に書き込むので、センタ装置からのデータの書き込み処理において、ユーザ情報が漏洩することを防止することができる。さらに、特に、上記送信手段によるデータの送信の後、上記入力手段により入力されたパスワードを廃棄するので、パスワードが漏洩することを防止できる。また、パスワードはセンタ装置側に通知されないので、センタ装置側では復号できず、センタ装置側でのデータの漏洩も防止できる。
【発明を実施するための最良の形態】
【００１４】
以下、本発明に係る実施形態について図面を参照して説明する。なお、以下の実施形態において、同様の構成要素については同一の符号を付している。
【００１５】
図１は、本発明に係る実施形態である、コピー、プリンタ及びスキャナー機能付きのファクシミリ装置であるディジタル複合装置２０を備えたローカルエリアネットワークシステム（以下、ローカルエリアネットワークをＬＡＮという。）、並びに、ディジタル複合装置２０がインターネット９０を介してセンタ装置４０に接続されたリモートメンテナンスシステムの構成を示すブロック図である。
【００１６】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナー及びファクシミリの各機能を共通に利用することができるように構成されている。
【００１７】
この実施形態に係る通信端末装置であるディジタル複合装置２０は、例えば、公衆電話網８０を介して別のディジタル複合装置２０Ａとファクシミリ通信するとともに、ＬＡＮ７０、ルータ装置６０及びインターネット９０を介して、ディジタル複合装置２０を遠隔制御するセンタ装置４０に接続される。ここで、ディジタル複合装置２０は、所定の秘密対象データの秘密対象データ管理テーブル７ａを格納するＲＡＭ７を備え、主制御部１は、センタ装置４０から、秘密対象データ管理テーブル７ａに格納された秘密対象データを読み出すことを指示する読み出し指示信号を受信し（図５のステップＳ１でＹＥＳ）、上記受信された読み出し指示信号に応答して、ユーザに対して操作部５を用いてパスワードを入力させるように報知し、上記入力されたパスワードを鍵として用いて上記データを暗号化した（ステップＳ４−Ｓ５）後、上記暗号化されたデータを送信する（ステップＳ６）ように制御することを特徴としている。なお、主制御部１は、上記秘密対象データの送信の後、上記入力されたパスワードを廃棄する。また、操作部５は、ＲＡＭ７内で記憶するデータのうち、暗号化すべきデータを指定する入力操作キー（図示せず。）などの入力装置を備える。
【００１８】
また、実施形態に係る通信端末装置であるディジタル複合装置２０の主制御部１は、センタ装置４０から、所定の秘密対象データを秘密対象データ管理テーブル７ａのＲＡＭ７に書き込むことを指示する、上記秘密対象データを含む書き込み指示信号を受信し（図６のステップＳ１１でＹＥＳ）、上記受信された書き込み指示信号に応答して、上記受信された秘密対象データが暗号化されているときに、ユーザに対して操作部５を用いてパスワードを入力させるように報知し、上記入力されたパスワードを鍵として用いて上記秘密対象データを復号化した（ステップＳ１３−Ｓ１４）後、上記復号化されたデータをＲＡＭ７内の秘密対象データ管理テーブル７ａに書き込む（ステップＳ１５）ように制御することを特徴としている。なお、主制御部１は、上記秘密対象データの書き込みの後、操作部５により入力されたパスワードを廃棄する。
【００１９】
図１のクライアントパーソナルコンピュータ３０は、公知のパーソナルコンピュータである外部端末装置であって、画像データや文字データの生成や記録、格納などの処理を実行する。本実施形態においては、クライアントパーソナルコンピュータ３０は、一例として、スキャナーにより走査された画像データを受信する外部端末装置や、クライアントパーソナルコンピュータ３０で生成された原稿画像の画像データ（例えば、ワードプロセッサのソフトウェアで作成された原稿の画像データをいう。）をディジタル複合装置２０を介して相手先のファクシミリ装置又はディジタル複合装置などの受信側通信端末装置にファクシミリ送信する情報処理装置として用いられる。
【００２０】
図２は、図１のディジタル複合装置２０の構成を示すブロック図である。
【００２１】
図２において、ディジタル複合装置２０は、従来のＧ３方式等のファクシミリ通信機能に加えて、コピー、プリンタ、及びスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００２２】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。ここで、操作部５は、上述のように、ＲＡＭ７内で記憶するデータのうち、暗号化すべきデータを指定する入力操作キー（図示せず。）などの入力装置を備える。なお、上述の表示部４をタッチパネル方式とすることにより、この操作部５の各種キーの内の一部又は全部を代用するように構成してもよい。
【００２３】
ＲＯＭ６は、当該ディジタル複合装置２０の動作に必要であって主制御部１によって実行される種々のソフトウェアのプログラムを予め格納し、本実施形態では、少なくとも、図５のデータ読み出し指示信号受信処理のプログラムと、図６のデータ書き込み指示信号受信処理のプログラムとを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。ここで、ＲＡＭ７は、上記秘密対象データ管理テーブル７ａを含むとともに、ユーザにより入力されたパスワードを一時的に記憶する。なお、ＲＡＭ７としてフラッシュメモリを使用した場合には、停電、装置の移動等のために電源が遮断された場合にもそのデータの内容が失われない。
【００２４】
図４は図２のＲＡＭ７内の秘密対象データ管理テーブル７ａの一例を示すフローチャートである。図４の秘密対象データ管理テーブル７ａにおいて、例えば、ディジタル複合装置２０のユーザにより秘密対象データとして以下のデータが指定されて格納されている。
（ａ）電話帳データである短縮番号００１−０５０の電話番号とその名称データ。
（ｂ）電話帳データである短縮番号０８０−１００の電話番号とその名称データ。
（ｃ）認証用パスワードなどのプロテクトコード。
（ｄ）ユーザの名称やファクシミリ番号などのユーザ登録情報。
【００２５】
画像メモリ８はＤＲＡＭ等で構成され、送信すべき画像データ又は受信した画像データ、もしくは走査されて変換された画像データを記憶する。ここで、画像メモリ８は、複数のクライアントパーソナルコンピュータ３０又はそのユーザに対応した複数のメモリボックスに区分されたメモリボックス領域８ａを備える。各クライアントパーソナルコンピュータ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２６】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００２７】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。本実施形態では、ＬＡＮインターフェース１２からＬＡＮ７０、ルータ装置６０及びインターネット９０を介してセンタ装置４０に接続され、ディジタル複合装置２０はセンタ装置４０からの遠隔制御のためのデータ読み出し指示信号やデータ書き込み指示信号をインターネット９０を介して受信する。
【００２８】
以上のように構成されたディジタル複合装置２０のファクシミリ通信機能において、各クライアントパーソナルコンピュータ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置である例えばディジタル複合装置２０Ａに送信される一方、逆に相手先のファクシミリ装置であるディジタル複合装置２０Ａから受信した符号化データもソフトウェアにより画像データに復号化された後、画像メモリ８に格納され、必要に応じて画像記録部３でプリントされる。
【００２９】
図３は図１のセンタ装置４０の構成を示すブロック図である。ここで、センタ装置４０は例えばパーソナルコンピュータで構成される。
【００３０】
図３において、主制御部１０１は具体的にはＣＰＵで構成されており、バス１１３を介して以下のハードウェア各部と接続されていてそれらを制御するほか、後述する種々のソフトウェアの機能を実行する。このセンタ装置４０において、画像読取部及び画像記録部（図示せず。）はオプションで設けられる。表示部１０４は、液晶表示装置（ＬＣＤ）又はＣＲＴディスプレイ等の表示装置であり、当該センタ装置４０の動作状態を表示したり、送信すべき原稿の画像データ、及び受信した画像データの表示を行う。操作部１０５は、例えばキーボードであり、文字データや指示コマンドを入力するためのものである。
【００３１】
ＲＯＭ１０６は、当該センタ装置４０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、例えば、主制御部１０１により実行される、ディジタル複合装置２０の遠隔制御のためのソフトウェアプログラムなどを格納するプログラムメモリ領域１０８ａを含む。また、ＬＡＮインターフェース１１２は、ＬＡＮ、インターネット９０を介して図１のルータ装置６０に接続される。
【００３２】
以上のように構成されたセンタ装置４０は、ディジタル複合装置２０の遠隔制御のための、データ読み出し指示信号又はデータ書き込み指示信号をＬＡＮインターフェース１１２、ＬＡＮ、インターネット９０、ルータ装置８０及びＬＡＮ７０を介してディジタル複合装置２０に送信することにより、ディジタル複合装置２０を遠隔で制御する。
【００３３】
図５は図１のディジタル複合装置２０の主制御部１によって実行されるデータ読み出し指示信号受信処理を示すフローチャートである。
【００３４】
図５において、まず、ステップＳ１においてセンタ装置４０からデータ読み出し指示信号を受信したか否かが判断され、ＮＯのときはステップＳ１に戻る一方、ＹＥＳのときはステップＳ２に進む。次いで、ステップＳ２において、受信したデータ読み出し指示信号内の読み出し指定データは、秘密対象データであるか否かがＲＡＭ７内の秘密対象データ管理テーブル７ａを参照して判断され、ＹＥＳのときはステップＳ４に進む一方、ＮＯのときはステップＳ３に進む。ステップＳ３では、読み出し指定データを例えばＲＡＭ７やハードディスクドライブ９などから読み出した後、センタ装置４０に送信し、当該データ読み出し指示信号受信処理を終了する。一方、ステップＳ４において、例えば表示部４においてユーザに対してパスワードを入力することを指示する表示により報知し、これに応答して、ユーザは操作部５の入力装置を用いてパスワードを入力する。ここで、ユーザのパスワードが入力されたか否かが判断され、ＮＯであるときはステップＳ４の処理を継続し、ＹＥＳとなったとき、入力されたパスワードをＲＡＭ７に一時的に格納した後、ステップＳ５に進む。ステップＳ５では、入力されたパスワードを鍵として用いて読み出し指定データを暗号化し、ステップＳ６においてセンタ装置４０に暗号化された読み出し指定データを送信する。その後、ＲＡＭ７内のパスワードは廃棄され、当該データ読み出し指示信号受信処理を終了する。
【００３５】
図６は図１のディジタル複合装置２０の主制御部１によって実行されるデータ書き込み指示信号受信処理を示すフローチャートである。
【００３６】
図６において、まず、ステップＳ１１においてセンタ装置４０からデータ書き込み指示信号を受信したか否かが判断され、ＹＥＳのときはステップＳ１２に進む一方、ＮＯのときはステップＳ１１に戻る。次いで、ステップＳ１２において、上記データ書き込み指示信号に含まれる書き込み指示データは暗号化データであるか否かが判断され、ＹＥＳのときはステップＳ１３に進む一方、ＮＯのときはステップＳ１５に進む。ステップＳ１３において、例えば表示部４においてユーザに対してパスワードを入力することを指示する表示により報知し、これに応答して、ユーザは操作部５の入力装置を用いてパスワードを入力する。ここで、ユーザのパスワードが入力されたか否かが判断され、ＮＯであるときはステップＳ１３の処理を継続し、ＹＥＳとなったとき、入力されたパスワードをＲＡＭ７に一時的に格納した後、ステップＳ１４に進む。ステップＳ１４において入力されたパスワードを鍵として用いて、センタ装置４０から送信された書き込み指定データを復号化し、ステップＳ１５において復号化された指定データをＲＡＭ７内の所定の記憶領域に格納する。その後、ＲＡＭ７内のパスワードは廃棄され、当該データ書き込み指示信号受信処理を終了する。
【００３７】
以上説明したように、本実施形態に係るディジタル複合装置２０によれば、主制御部１は、所定の秘密対象データの秘密対象データ管理テーブル７ａを格納するＲＡＭ７を備え、主制御部１は、センタ装置４０から、秘密対象データ管理テーブル７ａに格納された秘密対象データを読み出すことを指示する読み出し指示信号を受信し（図５のステップＳ１でＹＥＳ）、上記受信された読み出し指示信号に応答して、ユーザに対して操作部５を用いてパスワードを入力させるように報知し、上記入力されたパスワードを鍵として用いて上記データを暗号化した（ステップＳ４−Ｓ５）後、上記暗号化されたデータを送信する（ステップＳ６）ように制御する。それ故、センタ装置からのデータの読み出し処理において、ユーザ情報が漏洩することを防止することができる。また、主制御部１は、上記秘密対象データの送信の後、上記入力されたパスワードを廃棄するので、パスワードが漏洩することを防止できる。さらに、操作部５は、ＲＡＭ７内で記憶するデータのうち、暗号化すべきデータを指定する入力操作キー（図示せず。）などの入力装置を備えるので、ユーザが所望するデータを暗号化してそのデータの漏洩を防止できる。また、パスワードはセンタ装置４０側に通知されないので、センタ装置４０側では復号できず、センタ装置４０側でのデータの漏洩も防止できる。
【００３８】
また、実施形態に係るディジタル複合装置２０によれば、主制御部１は、センタ装置４０から、所定の秘密対象データを秘密対象データ管理テーブル７ａのＲＡＭ７に書き込むことを指示する、上記秘密対象データを含む書き込み指示信号を受信し（図６のステップＳ１１でＹＥＳ）、上記受信された書き込み指示信号に応答して、上記受信された秘密対象データが暗号化されているときに、ユーザに対して操作部５を用いてパスワードを入力させるように報知し、上記入力されたパスワードを鍵として用いて上記秘密対象データを復号化した（ステップＳ１３−Ｓ１４）後、上記復号化されたデータをＲＡＭ７内の秘密対象データ管理テーブル７ａに書き込む（ステップＳ１５）ように制御する。センタ装置からのデータの書き込み処理において、ユーザ情報が漏洩することを防止することができる。また、主制御部１は、上記秘密対象データの書き込みの後、操作部５により入力されたパスワードを廃棄するので、パスワードが漏洩することを防止できる。また、パスワードはセンタ装置４０側に通知されないので、センタ装置４０側では復号できず、センタ装置４０側でのデータの漏洩も防止できる。
【００３９】
＜変形例＞
以上の実施形態においては、ディジタル複合装置２０の例について述べているが、本発明はこれに限らず、ファクシミリ機能を有するファクシミリ装置やファクシミリサーバ装置などに広く適用することができる。
【産業上の利用可能性】
【００４０】
以上詳述したように、第１の発明に係る通信端末装置によれば、上記受信された読み出し指示信号に応答して、ユーザに対して上記入力手段を用いてパスワードを入力させるように報知し、上記入力されたパスワードを鍵として用いて上記データを暗号化した後、上記暗号化されたデータを送信するので、センタ装置からのデータの読み出し処理において、ユーザ情報が漏洩することを防止することができる。また、特に、上記送信手段によるデータの送信の後、上記入力手段により入力されたパスワードを廃棄するので、パスワードが漏洩することを防止できる。さらに、ユーザは上記暗号化すべきデータを指定することができるので、ユーザが所望するデータを暗号化してそのデータの漏洩を防止できる。また、パスワードはセンタ装置側に通知されないので、センタ装置側では復号できず、センタ装置側でのデータの漏洩も防止できる。
【００４１】
また、第２の発明に係る通信端末装置によれば、上記受信された書き込み指示信号に応答して、上記受信されたデータが暗号化されているときに、ユーザに対して上記入力手段を用いてパスワードを入力させるように報知し、上記入力されたパスワードを鍵として用いて上記データを復号化した後、上記復号化されたデータを上記記憶手段に書き込むので、センタ装置からのデータの書き込み処理において、ユーザ情報が漏洩することを防止することができる。さらに、特に、上記送信手段によるデータの送信の後、上記入力手段により入力されたパスワードを廃棄するので、パスワードが漏洩することを防止できる。また、パスワードはセンタ装置側に通知されないので、センタ装置側では復号できず、センタ装置側でのデータの漏洩も防止できる。
【図面の簡単な説明】
【００４２】
【図１】本発明に係る実施形態である、コピー、プリンタ及びスキャナー機能付きのファクシミリ装置であるディジタル複合装置２０を備えたＬＡＮシステム、並びに、ディジタル複合装置２０がインターネット９０を介してセンタ装置４０に接続されたリモートメンテナンスシステムの構成を示すブロック図である。
【図２】図１のディジタル複合装置２０の構成を示すブロック図である。
【図３】図１のセンタ装置４０の構成を示すブロック図である。
【図４】図２のＲＡＭ７内の秘密対象データ管理テーブル７ａの一例を示すフローチャートである。
【図５】図１のディジタル複合装置２０の主制御部１によって実行されるデータ読み出し指示信号受信処理を示すフローチャートである。
【図６】図１のディジタル複合装置２０の主制御部１によって実行されるデータ書き込み指示信号受信処理を示すフローチャートである。
【符号の説明】
【００４３】
１…主制御部、
２…画像読取部、
３…画像記録部、
４…表示部、
５…操作部、
６…ＲＯＭ、
７…ＲＡＭ、
７ａ…秘密対象データ管理テーブル、
８…画像メモリ、
８ａ…メモリボックス領域、
９…ハードディスクドライブ、
１０…ファックスモデム、
１１…ＮＣＵ、
１２…ＬＡＮインターフェース、
１３…バス、
２０，２０Ａ…ディジタル複合装置、
３０，３０−１乃至３０−Ｎ…クライアントパーソナルコンピュータ、
４０…センタ装置、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０６…ＲＯＭ、
１０７…ＲＡＭ、
１０８…ハードディスクドライブ、
１０８ａ…プログラムメモリ領域、
１１２…ＬＡＮインターフェース、
１１３…バス。
【図１】
2006311292.tif 000003
【図２】
2006311292.tif 000004
【図３】
2006311292.tif 000005
【図４】
2006311292.tif 000006
【図５】
2006311292.tif 000007
【図６】
2006311292.tif 000008